(57)【特許請求の範囲】
【請求項１】
導電性の材料で構成され、バッテリ側接続部と、前記バッテリ側接続部の端部から縦方向に突出している複数の可溶部と、前記各可溶部の先端部に設けられた複数の機器側接続部とを備え、前記各機器側接続部が、横方向で所定の間隔をあけて配置され、表裏方向で交互に配置されているバスバーと、
絶縁性の材料で構成され、前記バッテリ側接続部の所定の部位で前記バスバーが露出し、前記各機器側接続部の所定の部位で前記バスバーが露出するように、前記バスバーを覆っているボディと、
を有することを特徴とするヒューズユニット。
【請求項２】
請求項１に記載のヒューズユニットにおいて、
前記各機器側接続部が、前記縦方向で位置をずらして交互に配置されていることを特徴とするヒューズユニット。
【請求項３】
請求項１または請求項２に記載のヒューズユニットにおいて、
前記各機器側接続部には、前記バスバーの表裏方向で交互に突出方向が異なっているボルトが設けられており、このボルトを用いて、前記各機器側接続部が電気機器に接続されるように構成されていることを特徴とするヒューズユニット。
【発明の詳細な説明】
【技術分野】
【０００１】
本発明は、ヒューズユニットに係り、たとえば、自動車のバッテリに設置されるヒューズユニットに関する。
【背景技術】
【０００２】
図５は、従来のヒューズユニット２００の概略構成を示す斜視図であり、図６（ａ）は、図５で示すヒューズユニット２００をＶＩ方向から見た部分矢視図であり、図６（ｂ）は、図６（ａ）におけるＶＩＢ矢視図である。
【０００３】
図７は、別の従来のヒューズユニット２５０（たとえば、特許文献１参照）の概略構成を示す図であり、図７（ａ）は、ヒューズユニット２５０の正面図であり、図７（ｂ）は、図７（ａ）におけるＡ−Ａ断面図である。
【０００４】
従来のヒューズユニット２００は、バッテリ端子を介して自動車のバッテリのバッテリポストに一体的に設置されて使用されるものであり、先端部側（バッテリ端子に接続される側とは反対側）には、複数の下流端子結合部位（機器側接続部）２０２（２０２Ａ〜２０２Ｄ）が設けられている。
【０００５】
これらの機器側接続部２０２には、ボルト２０４（２０４Ａ〜２０４Ｄ）が設けられており、これらのボルトとナット（図示せず）とを用いて、電気機器の電線の端子が機器側接続部２０２に接続されるようになっている。
【０００６】
また、従来のヒューズユニット２５０も、ヒューズユニット２００と同様にして、バッテリ端子２５２を介して自動車のバッテリ２５４のバッテリポスト２５６に一体的に設置されて使用されるものである。ヒューズユニット２５０の先端部側には、複数の機器側接続部２５８（２５８Ａ〜２５８Ｄ）が設けられている。さらに、機器側接続部２５８では、ボルト２６０（２６０Ａ〜２６０Ｄ）とナット２６２（２６２Ａ〜２６２Ｄ）とを用いて、電気機器の電線２６８の端子が機器側接続部２５８に接続されるようになっている。
【０００７】
なお、図５で示す参照符号２０６は可溶部を示しており、参照符号２０８はバッテリ側接続部を示している。また、図７で示す参照符号２６４は可溶部を示しており、参照符号２６６はバッテリ側接続部を示している。
【先行技術文献】
【特許文献】
【０００８】
【特許文献１】特開２０００−１８２５０６号公報
【発明の概要】
【発明が解決しようとする課題】
【０００９】
ところで、ヒューズユニット２００（２５０）に設けられている各機器側接続部２０２（２５８）の設置間隔（ピッチ）Ｐ１０は、前述したナットやボルトを回すための工具のサイズによって一義的に決定されている。すなわち、１箇所の機器側接続部に電線の端子を設置するときにボルトやナットをまわすための工具を使用するわけであるが、このとき、前記１箇所の機器側接続部に隣接する他の機器側接続部のボルトやナットに前記工具が干渉しないように、機器側接続部２０２（２５８）の設置間隔Ｐ１０を決めている。
【００１０】
これにより、ヒューズユニットの幅方向の寸法Ｗ１０を縮小化することが困難であるという問題がある。
【００１１】
一方、ヒューズユニットが搭載されるスペース（ヒューズユニットの設置形態）にもよるが、バッテリとバッテリ（バッテリポスト）に設置されたヒューズユニットとの間の距離Ｒ（図７（ｂ）参照）は、ある程度の大きさをもっている場合が多い。それにもかかわらず、機器側接続部が、バスバーの一方の側（バッテリとは反対側）に並んで配置されている。
【００１２】
本発明は、上記問題点に鑑みてなされたものであり、横方向の寸法（幅）を従来のものよりも小さくすることができるヒューズユニットを提供することを目的とする。
【課題を解決するための手段】
【００１３】
請求項１に記載の発明は、導電性の材料で構成され、バッテリ側接続部と、前記バッテリ側接続部の端部から縦方向に突出している複数の可溶部と、前記各可溶部の先端部に設けられた複数の機器側接続部とを備え、前記各機器側接続部が、横方向で所定の間隔をあけて配置され、表裏方向で交互に配置されているバスバーと、絶縁性の材料で構成され、前記バッテリ側接続部の所定の部位で前記バスバーが露出し、前記各機器側接続部の所定の部位で前記バスバーが露出するように、前記バスバーを覆っているボディとを有するヒューズユニットである。
【００１４】
請求項２に記載の発明は、請求項１に記載のヒューズユニットにおいて、前記各機器側接続部が、前記縦方向で位置をずらして交互に配置されているヒューズユニットである。
【００１６】
請求項３記載の発明は、請求項１または請求項２に記載のヒューズユニットにおいて、
前記各機器側接続部には、前記バスバーの表裏方向で交互に突出方向が異なっているボルトが設けられており、このボルトを用いて、前記各機器側接続部が電気機器に接続されるように構成されているヒューズユニットである。
【発明の効果】
【００１７】
本発明によれば、横方向の寸法（幅）を従来のものよりも小さくすることができるヒューズユニットを提供することができるという効果を奏する。
【図面の簡単な説明】
【００１８】
【図１】本発明の実施形態に係るヒューズユニットの概略構成を示す斜視図である。
【図２】（ａ）は、図１で示すヒューズユニットをＩＩ方向から見た部分矢視図であり、（ｂ）は、（ａ）におけるＩＩＢ矢視図である。
【図３】ヒューズユニットの部分矢視図であり、図２（ａ）と同様の図である。
【図４】機器側接続部の配置の変形例を示す図であり、図２に対応した図である。
【図５】従来のヒューズユニットの概略構成を示す斜視図である。
【図６】（ａ）は、図５で示す従来のヒューズユニットをＶＩ方向から見た部分矢視図であり、（ｂ）は、（ａ）におけるＶＩＢ矢視図である。
【図７】別の従来のヒューズユニットの概略構成を示す図である。
【発明を実施するための形態】
【００１９】
図１は、本発明の実施形態に係るヒューズユニット１の概略構成を示す斜視図であり、図２（ａ）は、図１で示すヒューズユニット１をＩＩ方向から見た部分矢視図であり、図２（ｂ）は、図２（ａ）におけるＩＩＢ矢視図である。
【００２０】
ヒューズユニット１は、複数の機器側接続部３（３Ａ〜３Ｂ）の配置が異なっている点を除いては、従来のヒューズユニット２００または従来のヒューズユニット２５０と同様に構成されており、金属等の導電性の材料で構成されているバスバー５と樹脂等の絶縁性の材料で構成されているボディ７とを備えている。
【００２１】
バスバー５は、バッテリ端子（図示せず）に接続されるバッテリ側接続部（バッテリ側板状部）９と、バッテリ側接続部９の端部から縦方向に突出している複数の可溶部１１（１１Ａ〜１１Ｄ）と、各可溶部１１（１１Ａ〜１１Ｄ）の先端部に設けられた複数の機器側接続部（機器側側板状部；下流端子結合部位）３（３Ａ〜３Ｄ）とを備えて構成されている。機器側接続部３は、図示しない複数の電気機器（たとえば自動車の照明装置等）から延出している配線の端子のそれぞれにねじ等の締結具を用いて電気的に接続される部位である。
【００２２】
ここで、ヒューズユニット１（バスバー５）のバッテリ側接続部９（ヒューズユニット１がバッテリ側接続部９のところで折れ曲がって「Ｌ」字状に形成されているので、より精確には、可溶部１１側の部位）における可溶部１１の突出方向（バッテリ側接続部９、可溶部１１、機器側接続部３が順に並んでいる方向）を縦方向とし、この縦方向に対して直交する方向であって各可溶部１１（１１Ａ〜１１Ｄ）や機器側接続部３（３Ａ〜３Ｄ）が並んでいる方向を横方向とし、前記縦方向と前記横方向とに直交する方向をバスバー５（可溶部１１、機器側接続部３）の厚さ方向（表裏方向）とする。
【００２３】
各可溶部１１（１１Ａ〜１１Ｄ）は、前述したように、横方向で所定の間隔をあけて並んで設けられており、各機器側接続部３（３Ａ〜３Ｄ）も、横方向で所定の間隔をあけて配置されており、さらに、機器側接続部３（３Ａ〜３Ｄ）は、厚さ方向（表裏方向）で交互に配置されている。
【００２４】
ボディ７は、バスバー５の所定の部位が露出するようにして、バスバー５に一体的に設けられている。すなわち、ボディ７は、バッテリ側接続部９の所定の部位（バッテリ端子が接続される部位およびこの近傍の部位）でバスバー５が露出し、各機器側接続部３（３Ａ〜３Ｄ）の所定の部位（電気機器の配線の端子が接続される部位およびこの近傍の部位）でバスバー５が露出し、各可溶部１１（１１Ａ〜１１Ｄ）でバスバー５が露出し、「Ｌ」字状に折り曲げられるバッテリ側接続部９の部位でバスバー５が露出するようにして、バスバー５を覆っている。
【００２５】
バスバー５は、１枚の薄い平板状の素材（金属で構成された）を裁断（たとえば、型を使った打ち抜き）した平板状の所定形状にして形成されている。
【００２６】
裁断後の平板状のバスバー５をこの厚さ方向から見ると、矩形状のバッテリ側接続部９と、幅狭で細長い各可溶部１１（１１Ａ〜１１Ｄ）と、各可溶部１１の先端に設けられバッテリ側接続部９よりも小さい矩形状に形成されている各機器側接続部３（３Ａ〜３Ｄ）とで構成されている。細長い各可溶部１１（１１Ａ〜１１Ｄ）は、お互いがほぼ平行になるようにして横方向に並び、バッテリ側接続部９の縦方向の一端部から細長く延出（突出）している。
【００２７】
バッテリ側接続部９における横方向の中央部であって縦方向の他端部側の部位（可溶部１１が突出している側とは反対側の部位）には、厚さ方向でバッテリ側接続部９を貫通している貫通孔１５が設けられている。この貫通孔１５に、バッテリ端子のボルトが挿入され、このボルトとナットとで、ヒューズユニット１がバッテリ端子に一体的に設置されるようになっている。バッテリ端子は、バッテリのバッテリポストに一体的に設置されるようになっている。
【００２８】
機器側接続部３（３Ａ〜３Ｄ）の中央部には、ボルト１７（１７Ａ〜１７Ｄ）が一体的に設けられている。これらのボルト１７（１７Ａ〜１７Ｄ）は、機器側接続部３（３Ａ〜３Ｄ）の厚さ方向（表裏方向）に突出している。なお、各機器側接続部３（３Ａ〜３Ｄ）が厚さ方向で交互に配置されているので、ボルト１７（１７Ａ〜１７Ｄ）も、各機器側接続部３（３Ａ〜３Ｄ）の厚さ方向で交互に突出している。すなわち、ボルト１７（１７Ａ〜１７Ｄ）が、バスバー５の表裏方向で突出方向が交互に異なるようにして設けられている。これらのボルト１７（１７Ａ〜１７Ｄ）とナットとを用い、機器側接続部３（３Ａ〜３Ｄ）のそれぞれに電気機器から延出している電線の端子が設置され接続されるように構成されている。
【００２９】
ボディ７（樹脂ボディ）は、従来のヒューズユニット２００の場合と同様にして、たとえば、インサート成型によりバスバー５に一体的に設けられている。なお、従来のヒューズユニット２５０の場合と同様にして、樹脂ボディ７を別途成型し、この成型後に熱によるカシメ等により、樹脂ボディ７をバスバー５に一体的に設置してあってもよい。
【００３０】
ボディ７は、第１の部位１９とこの第１の部位１９から離れている第２の部位２１とで構成されている。
【００３１】
樹脂ボディ７の第１の部位１９は、バッテリ側接続部９の貫通孔１５とこの周辺やバッテリ側接続部９の曲げ線のところ等でバスバー５が露出するようにして、バッテリ側接続部９を覆っている。バッテリ側接続部９の曲げ線は、バスバー５に樹脂ボディ７を設けた後に、バスバー５を約９０°折り曲げて、ヒューズユニット１を「Ｌ」字状にするための曲げ線であり、バッテリ側接続部９の縦方向の一端部と貫通孔１５との間で、バッテリ側接続部９の横方向に直線的に延びている。
【００３２】
樹脂ボディ７の第２の部位２１は、機器側接続部３のボルト１７とこの周辺や可溶部１１の一部等でバスバー５が露出するようにして、機器側接続部３や可溶部１１を覆っている。
【００３３】
各機器側接続部３（３Ａ〜３Ｄ）が、横方向で所定の間隔をあけて配置されており、厚さ方向（表裏方向）で交互に配置されているので、ボルト１７（１７Ａ〜１７Ｄ）やこれらのボルト１７（１７Ａ〜１７Ｄ）の周辺における各機器側接続部３（３Ａ〜３Ｄ）の部位が、各機器側接続部３（３Ａ〜３Ｄ）の厚さ方向で、樹脂ボディ７の第２の部位２１で覆われておらずに交互に露出している。これにより、ヒューズユニット１を、打ち抜きバスバー５を絶縁性樹脂で覆った多連鎖ヒューズということができる。なお、ボルト１７の代わりのナットを使用した構成であってもよい。
【００３４】
ここで、図１や図２で示すように、機器側接続部３が４つ設けられている場合を例に掲げてさらに詳しく説明する。
【００３５】
横方向の一方の側から他方の側に向かって、各機器側接続部３を数えたときに、奇数番目の機器側接続部３Ａ，３Ｃとボルト１７Ａ，１７Ｃとが、ヒューズユニット１の表側（バスバー５の機器側接続部３の厚さ方向の一方の側）に設けられている。この部分は、樹脂ボディ７で覆われておらず、ボルト１７Ａ，１７Ｃや機器側接続部３Ａ，３Ｃの厚さ方向の一方の面（表側）の面が露出している。また、偶数番目の機器側接続部３Ｂ，３Ｄが、ヒューズユニット１の裏側（バスバー５の機器側接続部３の厚さ方向の他方の側）に設けられている。この部分も、樹脂ボディ７で覆われておらず、ボルト１７Ｂ，１７Ｄや機器側接続部３Ｂ，３Ｄの厚さ方向の他方の面（裏側）が露出している。
【００３６】
なお、ヒューズユニット１の表側は、Ｌ字状に形成されているヒューズユニット１を、バッテリ端子を用いてバッテリに設置したときに、バッテリとは反対の側であり、ヒューズユニット１の裏側は、バッテリの側である。
【００３７】
また、縦方向では、各機器側接続部３（３Ａ〜３Ｄ）やボルト１７（１７Ａ〜１７Ｄ）が、ほぼ同じところに位置している。すなわち、各機器側接続部３（３Ａ〜３Ｄ）やボルト１７（１７Ａ〜１７Ｄ）は、横方向に延びた一直線上に配置されている。
【００３８】
また、横方向では、各機器側接続部３（３Ａ〜３Ｄ）やボルト１７（１７Ａ〜１７Ｄ）のピッチＰ１が、従来のヒューズユニットに比べて小さくなっている。
【００３９】
具体的には、図６や図７で示す従来のヒューズユニット２００，２５０では、工具のスペースに約２０ｍｍの幅が必要なので、ピッチＰ１０が２１ｍｍ程度になっているが、図１、図２で示すヒューズユニット１では、ピッチＰ１０が１０．５ｍｍ程度になっている。これにより、図６で示す従来のヒューズユニット２００では、各機器側接続部２０２の幅Ｗ１０が約８９．７ｍｍになっており、図１、図２で示すヒューズユニット１では、各機器側接続部３（３Ａ〜３Ｄ）の幅Ｗ１が約５６．０ｍｍになっている。したがって、ヒューズユニット１は、従来のヒューズユニット２００に対して、横方向の大きさで約３７％のサイズダウンがなされている。
【００４０】
なお、厚さ方向から機器側接続部３（３Ａ〜３Ｄ）を見た場合、お互いに隣接している矩形状の機器側接続部３同士は、重なっておらず、僅かな間隙をもって配置されている。これにより、バスバー５を１枚の素材から裁断により容易に生成することができる。
【００４１】
ところで、各機器側接続部３（３Ａ〜３Ｄ）が、縦方向で位置をずらして交互に配置されている構成であってもよい。
【００４２】
すなわち、各機器側接続部３（３Ａ〜３Ｄ）が縦方向でずれていない構成（図２、図３参照）に対して、図４（ａ）で示すように、各機器側接続部３（３Ａ〜３Ｄ）を縦方向で交互にずらした構成であってもよい。図４（ａ）で示した構成では、左から数えて奇数番目の各機器側接続部３Ａ，３Ｃと、左から数えて偶数番目の各機器側接続部３Ｂ，３Ｄとが、縦方向で距離Ｐ３だけずれている。
【００４３】
なお、図４（ａ）では、縦方向で、奇数番目の各機器側接続部３Ａ，３Ｃの一部と、偶数番目の各機器側接続部３Ｂ，３Ｄの一部とが、お互いにオーバーラップしているが、図４（ｂ）で示すように、奇数番目の各機器側接続部３Ａ，３Ｃと、偶数番目の各機器側接続部３Ｂ，３Ｄとを、距離Ｐ３よりも大きく離して、縦方向で、奇数番目の各機器側接続部３Ａ，３Ｃと、偶数番目の各機器側接続部３Ｂ，３Ｄが、間隔Ｐ５で離れオーバーラップしないよう構成してもよい。
【００４４】
ヒューズユニット１によれば、各機器側接続部３が厚さ方向（表裏方向）で交互に配置されているので、横方向における各機器側接続部３のピッチＰ１を小さくして、横方向の寸法（幅寸法）Ｗ１を従来のものよりも小さくすることができる。各機器側接続部３のピッチＰ１を小さくしても、電気機器の配線の端子を設置するためのボルト１７やナットを回す工具の干渉を防ぐことができる。
【００４５】
すなわち、ボルト１７の突出方向が厚さ方向（表裏方向）において交互に逆になっているので（ボルト１７の突出方向が交互に双方向になっているので）、工具のスペースのオーバーラップが可能になっている。
【００４６】
なお、バッテリとバッテリ（バッテリポスト）に設置されたヒューズユニット１との間の距離Ｒ（図７（ｂ）参照）は、一般的にはある程度の大きさ（機器側接続部３にボルト１７やナットを用いて電気機器の配線の端子を設置することができる程度の大きさ）をもっているので、機器側接続部３のボルト１７がバッテリ側に突出していても、不具合は発生せず、かえってデッドスペースを有効利用することができる。
【００４７】
また、ヒューズユニット１において、各機器側接続部３を、縦方向で位置をずらして交互に配置してあれば、各機器側接続部３を表裏方向で交互に配置した場合と同様にして、横方向の寸法を従来のものよりも小さくすることができる。
【００４８】
さらに、１つの機器側接続部３の横寸法が大きくなっても、お互いに隣接する機器側接続部３同士が縦方向で間隔Ｐ５で離れており（図４（ｂ）参照）、１つの可溶部１１の幅寸法（横方向の寸法）が１つの機器側接続部３の幅寸法（横方向の寸法）よりも小さければ、裁断により１枚の素材からバスバー５を製造することができる。
【００４９】
また、ヒューズユニット１によれば、ボルト１７を用いて、各機器側接続部３が電気機器に接続されるように構成されているので、電気機器の配線の端子を機器側接続部３に設置する作業が容易になる。
【００５０】
ところで、上記説明では、各機器側接続部３を表裏方向で交互に配置してあるが、各機器側接続部３を表裏方向で交互に配置することなく、縦方向でのみ交互に配置した構成であってもよい。
【００５１】
すなわち、バッテリ側接続部と、前記バッテリ側接続部の端部から縦方向に突出している複数の可溶部と、前記各可溶部の先端部に設けられた複数の機器側接続部とを備え、前記各機器側接続部が、横方向では所定の間隔をあけて配置され、前記縦方向では位置をずらして交互に配置されており、表裏方向では一方の側に配置されているバスバーと、前記バッテリ側接続部の一部で前記バスバーが露出し、前記各機器側接続部の一部で前記バスバーが露出するように、前記バスバーを覆っているボディとを有するヒューズユニットとしてもよい。
【符号の説明】
【００５２】
１  ヒューズユニット
３  機器側接続部
５  バスバー
７  ボディ
９  バッテリ側接続部
１１  可溶部
１７  ボルト
【図１】
0005437766.tif 000002
【図２】
0005437766.tif 000003
【図３】
0005437766.tif 000004
【図４】
0005437766.tif 000005
【図５】
0005437766.tif 000006
【図６】
0005437766.tif 000007
【図７】
0005437766.tif 000008